(57)【要約】【課題】レールの経時的な変形が生じることなく、引き出しの出し入れを円滑に行い得る引き出し案内機構、およびそれに用いた引き出し箱を提供する。【解決手段】引き出し箱１を構成する側板３の外側面後部の上下に間隔をもってローラ１２，１３をそれぞれ設け、これらローラ１２，１３によってキャビネット本体３０に取付けた外レール２を上下から挟持するとともに、前記側板３の外側面に、前後方向の内レール２２を設け、この内レール２２によって案内されるローラ２５を、前記外レール２の前部に設けた引き出し案内機構とする。【選択図】        図２
2004305353.tif 000002
【特許請求の範囲】
【請求項１】
引き出し箱を構成する側板の外側面後部の上下に間隔をもってローラをそれぞれ設け、これらローラによってキャビネット本体に取付けた外レールを上下から挟持するとともに、前記側板の外側面に、前後方向の内レールを設け、この内レールによって案内されるローラを、前記外レールの前部に設けたことを特徴とする引き出し案内機構。
【請求項２】
前記外レールを、正面視における断面をほぼコ字状形に形成し、前記コ字状形の内部において外レールをキャビネット本体に、ねじ止めしたことを特徴とする請求項１に記載の引き出し案内機構。
【請求項３】
前記内レールにおけるローラ案内面を、引き出し箱の側板の外側面に前後方向に設けた溝部の上面をもって形成したことを特徴とする請求項１または２に記載の引き出し案内機構。
【請求項４】
前記外レールにおける上下のローラ案内面の少なくとも一方の内側縁に、引き出し箱の後部に設けた前記ローラの脱輪を防止するための縁壁、または、前記内レールにおけるローラ案内面の外側縁に、外レールの前部に設けたローラの脱輪を防止するための縁壁を設けたことを特徴とする請求項１〜３のいずれかに記載の引き出し案内機構。
【請求項５】
左右の前記外レールまたは内レールにおけるローラ案内面の少なくとも一方に、ローラが左右方向に振れることを防止するための振れ防止手段を設けたことを特徴とする請求項１〜４のいずれかに記載の引き出し案内機構。
【請求項６】
左右の前記外レールまたは内レールにおけるローラ案内面の一方に前記振れ防止手段を設け、他方の外レールまたは内レールにおけるローラ案内面においては、ローラの左右方向への振れを自在としたことを特徴とする請求項１〜５のいずれかに記載の引き出し案内機構。
【請求項７】
前記振れ防止手段を、外レールもしくは内レールにおけるローラ案内面の幅を、ローラの幅とほぼ同じ幅とするか、または外レールもしくは内レールにおけるローラ案内面上に、ローラの幅とほぼ同じ幅の案内溝を設けるか、または外レールもしくは内レールによって案内されるローラの外周に、周方向に凸条を設けるとともに、このローラが案内されるローラ案内面に、前記凸条とほぼ同じ幅の案内溝を設けるか、または外レールもしくは内レールによって案内されるローラの外周に周方向の凹溝を設けるとともに、このローラが案内されるローラ案内面に、前記凹溝とほぼ同じ幅の案内凸条を設けるか、または外レールもしくは内レールによって案内されるローラの外周を断面形状において外側に向けて凸状の弧状に形成するとともに、このローラが案内されるローラ案内面に、前記弧状とほぼ同じ極率半径の断面を有する案内溝を設けるかのいずれかによって形成したことを特徴とする請求項５または６に記載の引き出し案内機構。
【請求項８】
前記内レールのローラ案内面に、側面視において逆三角形のストッパーを取り付けたことを特徴とする請求項１〜７のいずれかに記載の引き出し案内機構。
【請求項９】
前記ローラを、外側端にローラの抜け防止用鍔部を備え、かつ内側端に向けて、段部を介し縮径されて形成された支軸に嵌装し、支軸における縮径部を、引き出し箱における側板、または外レールに設けた凹孔に嵌着させ、かつ止めねじをもって、前記ローラとともに支軸を、前記側板または外レールに取付けたことを特徴とする請求項１〜８のいずれかに記載の引き出し案内機構。
【請求項１０】
外側面に内レール用の前後方向の溝部を設けるとともに、内側面下部に前後方向の係止溝を設けた側板と、同じく内側面下部に左右方向の係止溝を設けた背板と、底板とを用いて、底板の左右縁および後縁を前記係止溝に係止させるとともに、底板の前方に、前板または縁カバーを介在させて、側板の前端に、取付部材をもって化粧用前板を取付け、かつ前記側板の外側面の後部に、上下に間隔をもって、外レールを上下から挾持する複数のローラを取付けたことを特徴とする引き出し箱。
【発明の詳細な説明】
【０００１】
【発明の属する技術分野】
本発明は、引き出し案内機構、および引き出し箱に関する。
【０００２】
【従来の技術】
引き出し案内機構として、引き出し箱の側板にローラを設けるとともに、キャビネット本体の側壁内側面に外レールを取付け、この外レールにローラを案内させて、引き出し箱の出し入れを円滑にするようにしたものは公知である（例えば、特許文献１）。
【０００３】
【特許文献１】
特開平６−３１５４２０号公報（図１，図３，図４参照）
【０００４】
【発明が解決しようとする課題】
しかし、上記従来の引き出し案内機構では、外レールは、長手方向に対する垂直な断面がコ字状に形成され、このコ字状内部の上下案内レール間内で、ローラを転動させている。
【０００５】
このような引き出し案内機構では、特に引き出し箱を引き出したときに外レールの上側案内レールに大きな負荷がかかるため、それに耐え得る金属等の十分な強度をもった材料を用いて、外レールを形成しなければならないとともに、レールが経時的に変形し、引き出しの出し入れが円滑に行われなくなる場合がある。
【０００６】
本発明は、上記のような問題点に鑑み、引き出し案内機構に対する既成概念にとらわれずに、特に金属等の剛性の高い材料を用いなくても、外レールの経時的な変形が生じることなく、引き出しの出し入れを円滑に行い得る引き出し案内機構、およびそれに用いる引き出し箱を提供することを目的とする。
【０００７】
【課題を解決するための手段】
本発明によると、上記課題は次のようにして解決される。
（１）  引き出し箱を構成する側板の外側面後部の上下に間隔をもってローラをそれぞれ設け、これらローラによってキャビネット本体に取付けた外レールを上下から挟持するとともに、前記側板の外側面に、前後方向の内レールを設け、この内レールによって案内されるローラを、前記外レールの前部に設けた引き出し案内機構とする。
【０００８】
（２）  上記（１）項において、前記外レールを、正面視における断面をほぼコ字状形に形成し、前記コ字状形の内部において外レールをキャビネット本体に、ねじ止めする。
【０００９】
（３）  上記（１）項または（２）項において、前記内レールにおけるローラ案内面を、引き出し箱の側板の外側面に前後方向に設けた溝部の上面をもって形成する。
【００１０】
（４）  上記（１）項〜（３）項のいずれかにおいて、前記外レールにおける上下のローラ案内面の少なくとも一方の内側縁に、引き出し箱の後部に設けた前記ローラの脱輪を防止するための縁壁、または、前記内レールにおけるローラ案内面の外側縁に、外レールの前部に設けたローラの脱輪を防止するための縁壁を設ける。
【００１１】
（５）  上記（１）項〜（４）項のいずれかにおいて、左右の前記外レールまたは内レールにおけるローラ案内面の少なくとも一方に、ローラが左右方向に振れることを防止するための振れ防止手段を設ける。
【００１２】
（６）  上記（１）項〜（５）項のいずれかにおいて、左右の前記外レールまたは内レールにおけるローラ案内面の一方に前記振れ防止手段を設け、他方の外レールまたは内レールにおけるローラ案内面においては、ローラの左右方向への振れを自在とする。
【００１３】
（７）  上記（１）項〜（６）項のいずれかにおいて、前記振れ防止手段を、外レールもしくは内レールにおけるローラ案内面の幅を、ローラの幅とほぼ同じ幅とするか、または外レールもしくは内レールにおけるローラ案内面上に、ローラの幅とほぼ同じ幅の案内溝を設けるか、または外レールもしくは内レールによって案内されるローラの外周に、周方向に凸条を設けるとともに、このローラが案内されるローラ案内面に、前記凸条とほぼ同じ幅の案内溝を設けるか、または外レールもしくは内レールによって案内されるローラの外周に周方向の凹溝を設けるとともに、このローラが案内されるローラ案内面に、前記凹溝とほぼ同じ幅の案内凸条を設けるか、または外レールもしくは内レールによって案内されるローラの外周を断面形状において外側に向けて凸状の弧状に形成するとともに、このローラが案内されるローラ案内面に、前記弧状とほぼ同じ極率半径の断面を有する案内溝を設けるかのいずれかによって形成する。
【００１４】
（８）  上記（１）項〜（７）項のいずれかにおいて、前記内レールのローラ案内面に、側面視において逆三角形のストッパーを取り付ける。
【００１５】
（９）  上記（１）項〜（８）項のいずれかにおいて、前記ローラを、外側端にローラの抜け防止用鍔部を備え、かつ内側端に向けて、段部を介し縮径されて形成された支軸に嵌装し、支軸における縮径部を、引き出し箱における側板、または外レールに設けた凹孔に嵌着させ、かつ止めねじをもって、前記ローラとともに支軸を、前記側板または外レールに取付ける。
【００１６】
（１０）  外側面に内レール用の前後方向の溝部を設けるとともに、内側面下部に前後方向の係止溝を設けた側板と、同じく内側面下部に左右方向の係止溝を設けた背板と、底板とを用いて、底板の左右縁および後縁を前記係止溝に係止させるとともに、底板の前方に、前板または縁カバーを介在させて、側板の前端に、取付部材をもって化粧用前板を取付け、かつ前記側板の外側面の後部に、上下に間隔をもって、外レールを上下から挾持する複数のローラを取付けた引き出し箱とする。
【００１７】
【発明の実施の形態】
図１は、本発明における引き出し箱（１）と外レール（２）とを組付けした斜視図、図２は、その分解斜視図、図３、図４、図５は、それぞれ図１におけるＩＩＩ〜ＩＩＩ線、ＩＶ〜ＩＶ線、Ｖ〜Ｖ線矢視の一部破断した縦断面図である。
【００１８】
本発明における引き出し箱（１）は、左右の側板（３）（３）と、背板（４）と、底板（５）と、化粧用前板（６）とから組立てられている。
【００１９】
前記側板（３）（３）、背板（４）の内側面下部には、側板（３）（３）については前後方向の係止溝（３ａ）が、背板（４）については左右方向の係止溝（４ａ）が、それぞれ設けられている。
【００２０】
底板（５）の左右縁（５ａ）（５ａ）、後縁（５ｂ）を、それぞれ側板（３）（３）の前記係止溝（３ａ）（３ａ）、背板（４）の前記係止溝（４ａ）に係止させるとともに、底板（５）の前方に、底板（５）の前縁（５ｃ）を覆う縁カバー（７）を介在させて、側板（３）の前端（３ｂ）に、取付部材（８）をもって化粧用前板（６）を取付けることにより、引き出し箱（１）が形成されている。
【００２１】
縁カバー（７）は、底板（５）とほぼ同じ左右幅を有する細長い板状であり、止めねじ（９）をもって、化粧用前板（６）の内側面（６ａ）の下部に取付けられるとともに、縁カバー（７）における、底板（５）に対向する面（７ａ）には、図示を省略した係止溝が設けられており、この係止溝に、底板（５）の前縁（５ｃ）を係止し得るようになっている。
【００２２】
取付部材（８）は、正面視において縦長の四辺形の板状体であり、側板（３）への取付孔（８ａ）（８ａ）と、化粧用前板（６）への取付孔（８ｂ）（８ｂ）とが、後者を前者の左右外側に位置させて、それぞれ上下に間隔をもって２個ずつ穿設されている。
【００２３】
前記取付孔（８ａ）（８ａ）に、止めねじ（１０）（１０）を前方より挿通させて、取付部材（８）を側板（３）の前端面（３ｂ）に固定した後に、前記取付孔（８ｂ）（８ｂ）に、止めねじ（１１）（１１）を後方より挿通させて、化粧用前板（６）を、取付部材（８）を介して、側板（３）の前端面（３ｂ）に取付けてある。
側板（３）の外側面の後部には、上下に間隔をもって、ローラ（１２）（１３）が取付けられている。
なお、取付孔（８ｂ）（８ｂ）は、上下方向に長い長孔としてあり、化粧用前板（６）の上下方向または傾き是正の微調整を前記長孔を利用して左右の取付部材（８）の両方または一方を上下することにより行うことができる。
【００２４】
前記ローラ（１２）（１３）は、図３に示すように、内側面の中心回りに小径の鍔部（１２ａ）（１３ａ）を有し、止めねじ（１４）（１５）をもって側板（３）に固定された支軸（１６）（１７）に転動自在に嵌装されている。
【００２５】
前記支軸（１６）（１７）は、外側端に、ローラ（１２）（１３）の抜け防止用鍔部（１６ａ）（１７ａ）を備えるとともに、内側端に向けて段部（１６ｂ）（１７ｂ）を介して縮径されている。ローラ（１２）（１３）を、内側端から支軸（１６）（１７）に嵌装した後に、支軸（１６）（１７）の縮径部（１６ｃ）（１７ｃ）を側板（３）に設けられた凹孔（１８）（１９）に嵌着させて、止めねじ（１４）（１５）をもって、支軸（１６）（１７）をローラ（１２）（１３）とともに、側板（３）に取付けてある。
【００２６】
前記止めねじ（１４）（１５）は、背板（４）の端面（４ｂ）にねじ込まれており、ローラ（１２）（１３）の側板（３）への取付けと同時に、側板（３）と背板（４）を結合する作用も併せ有している。
【００２７】
図２に示すように、側板（３）の外側面には、前後方向の溝部（２０）が設けられ、図４に示すように、この溝部（２０）の上面（２１）によって、内レール（２２）におけるローラ案内面（２１）が形成されている。
【００２８】
一方、外レール（２）は、図２、図３に示すように、前後方向に長尺で、内側向きに開口するコ字状形の断面を有するとともに、上下面に溝部を設けることにより、それぞれ上側外レール（２３）、下側外レール（２４）が形成されている。この外レール（２）の内側面の前部には、図２、図４に示すように、前記した内レール（２２）におけるローラ（１２）（１３）の取付けと同様にして、ローラ（２５）が、支軸（２６）とともに、止めねじ（２７）をもって取付けられている。
【００２９】
前記外レール（２）は、図２、図５に示すように、コ字状形断面における内側向き開口部（２８）内において、止めねじ（２９）をもってキャビネット本体（３０）に固定されている。
本発明の引き出し案内機構は、前記引き出し箱（１）と外レール（２）とを組付けることによって得られる。
【００３０】
引き出し箱（１）と外レール（２）とは、引き出し箱（１）における側板（３）の外側面後部の上下に間隔をもって取付けられた２個のローラ（１２）（１３）によって、外レール（２）を挾持するとともに、外レール（２）の内側面前部に取付けられたローラ（２５）が、前記側板（３）の外側面に設けられた内レール（２２）によって案内されるように組付けられている。
【００３１】
すなわち、図５に示すように、側板（３）の外側面後部の上下に間隔をもって取付けられた２個のローラ（１２）（１３）のうち、上側のローラ（１２）を外レール（２）における上側外レール（２３）におけるローラ案内面（２３ａ）に当接して転動させ、かつ下側のローラ（１３）を下側外レール（２４）におけるローラ案内面（２４ａ）に当接して転動させるように組付けられている。
【００３２】
上側のローラ（１２）を、上側外レール（２３）上を転動させることにより、引き出し箱（１）を、その後部をもって支持するとともに、引き出し箱（１）を手前に引き出したときに、引き出し箱（１）の手前が下方に沈み、引き出し箱（１）が傾くことを、下側のローラ（１３）を、下側外レール（２４）に当接して転動させることにより防止している。
【００３３】
なお、下側のローラ（１３）は、必ずしも、常時、下側外レール（２４）に当接させる必要はなく、引き出し箱（１）が手前に引き出された際に、前記ローラ（１３）が下側外レール（２４）に当接して転動するように構成されていればよい。
【００３４】
また、上側レール（２３）、下側レール（２４）は、必ずしも溝部として形成する必要はなく、ローラ（１２）（１３）が当接して転動する案内面（２３ａ）（２４ａ）の内側縁に、単に縁壁（２３ｂ）（２４ｂ）を設けた形態のものであってもよい。
【００３５】
一方、図４に示すように、内レール（２２）におけるローラ案内面（２１）の外側縁にも、脱輪防止用の縁壁（３１）が設けられている。
【００３６】
前記内レール（２２）におけるローラ案内面（２１）に、外レール（２）の前部に設けたローラ（２５）を当接させて転動させるように組付けることにより、引き出し箱（１）の主として前部を支持するようにしてある。
【００３７】
また、引き出し箱（１）を手前に引き出したときには、外レール（２）の前部に設けた前記ローラ（２５）は、側板（３）の後部に設けた下側のローラ（１３）と相俟って、引き出し箱（１）が手前を下向きに傾くことを防止する作用をなしている。
【００３８】
図２に示すように、内レール（２２）におけるローラ案内面（２１）には、前後部に、それぞれ側面視逆三角形状のストッパー（３２）（３３）が、止めねじ（３４）（３５）をもって取付けられている。
【００３９】
前部に取付けられたストッパー（３２）は、その前部を、外レール（２）の前部に設けたローラ（２５）に当接させることにより、引き出し箱（１）が、収納時に振動や自重などにより、前方に開いてしまうことを防止するとともに、引き出し箱（１）を引き出した状態から、キャビネット本体内に収納する際に、収納が完了する直前に、前記ローラ（２５）を、ストッパー（３２）を後方から前方に向けて乗り越えさせて、引き出し箱（１）の自重により、ローラ（２５）をストッパー（３２）の前部傾斜面（３２ａ）を転動させることによって、引き出し箱（１）をキャビネット本体内に納まり易くする機能を有する。
【００４０】
一方、後部に取付けられたストッパー（３３）は、引き出し箱（１）を手前に引き出す際に、前記ストッパー（３３）の前部（３３ａ）を、外レール（２）の前部に設けたローラ（２５）に当接させて、引き出し箱（１）が、過度に手前に引き出されることを防止する機能を有する。
【００４１】
図６は、本発明における引き出し箱の別実施形態を示し、図２に相当する分解斜視図である。
図２に示す実施形態と対比して異なるのは、側板（３６）への化粧用前板（３７）の取付け形態であり、その他の部分については同一であるため、同一部分についての説明は省略する。
【００４２】
本実施形態における引き出し箱（３８）においては、化粧用前板（３７）を、底板（３９）の前方に前板（４０）を介在させて、取付部材（４１）をもって、側板（３６）の前端に取付けてある。
前記前板（４０）の内側面下部には、左右方向の係止溝（４０ａ）が設けられており、この係止溝（４０ａ）に、底板（３９）の前縁（３９ａ）が係止されている。
【００４３】
前記取付部材（４１）は、平面視Ｌ字形を有するアングル材よりなり、引き出し箱（３８）における側板（３６）と平行な側板取付片（４２）と、化粧用前板（３７）と平行な化粧用前板取付片（４３）とよりなる。側板取付片（４２）は、上下の片に分割されており、それぞれに取付孔（４３ａ）（４３ｂ）が穿設されている。
一方、化粧用前板取付片（４３）の上下にも、それぞれ取付孔（４３ａ）（４３ｂ）が穿設されている。
【００４４】
止めねじ（４４）（４４）を、前記側板取付片（４２）における取付孔（４２ａ）（４２ｂ）に挿通することにより、取付部材（４１）は側板（３６）の外側面の前端（３６ａ）に取付けられ、同時に前記止めねじ（４４）（４４）によって、側板（３６）と前板（４０）とが結合されている。
【００４５】
また、化粧用前板（３７）が、止めねじ（４５）（４５）を化粧用前板取付片（４３）における取付孔（４３ａ）（４３ｂ）に挿通することにより、側板（３６）の前端に取付けられている。なお、前記取付孔（４２ａ）（４２ｂ）は、上下方向に長い長孔としてあり、化粧用前板（３７）の上下方向または傾き是正の微調整を前記長孔を利用して左右の取付部材（４１）の両方または一方を上下することにより行うことができる。
【００４６】
また、引き出し箱（１）（３８）を引き出す際の左右方向の振れを防止し、円滑に引き出し得るようにするためには、左右の前記外レール（２）または内レール（２２）におけるローラ案内面（２３ａ）（２４ａ）（２１）の少なくとも一方に、ローラが左右方向に振れることを防止するための振れ防止手段を設けるとよい。
【００４７】
特に左右の前記外レール（２）または内レール（２２）におけるローラ案内面（２３ａ）（２４ａ）（２２）の一方に前記振れ防止手段を設け、他方の外レール（２）または内レール（２２）におけるローラ案内面（２３ａ）（２４ａ）（２１）においては、ローラ（１２）（１３）（２５）の左右方向への振れを自在とした形態が推奨される。
【００４８】
このような形態にすることによって、引き出し箱（１）（３８）の左右方向の振れを良好に防止することができるとともに、引き出し箱（１）（３８）、内レール（２２）、外レール（２）、ローラ（１２）（１３）（２５）などにおける左右方向の寸法誤差や経時的な変形を吸収して引き出し箱（１）（３８）の円滑な出し入れを行うことができる。
【００４９】
図７〜図１１は、図３における破線円内に相当する図であり、振れ防止手段のいくつかの実施形態を示す図である。
【００５０】
振れ防止手段は、図７に示すように、外レール（４６）もしくは内レールにおけるローラ案内面（４７）の幅をローラ（４８）の幅とほぼ同じ幅とするか、または図８に示すように、外レール（４９）もしくは内レールにおけるローラ案内面（５０）上に、ローラ（５１）の幅とほぼ同じ幅の案内溝（５２）を設けるか、または図９に示すように、外レール（５３）もしくは内レールによって案内されるローラ（５４）の外周に、周方向に凸条（５５）を設けるとともに、このローラ（５４）が案内されるローラ案内面（５６）に、前記凸条（５５）とほぼ同じ幅の案内溝（５７）を設けるか、または図１０に示すように、外レール（５８）もしくは内レールによって案内されるローラ（５９）の外周に周方向の凹溝（６０）を設けるとともに、このローラ（５９）が案内されるローラ案内面（６１）に、前記凹溝（６０）とほぼ同じ幅の案内凸条（６２）を設けるか、または図１１に示すように、外レール（６３）もしくは内レールによって案内されるローラ（６４）の外周を、断面形状において外側に向けて凸状の弧状に形成するとともに、このローラ（６４）が案内されるローラ案内面（６５）に、前記弧状とほぼおなじ極率半径の断面を有する案内溝（６６）を設けるかのいずれかによって容易に形成することができる。
【００５１】
【発明の効果】
本発明によると、次のような効果が奏せられる。
（１）  請求項１記載の発明によれば、外レールを、金属等の剛性の高い材料を用いて形成する必要がなく、合成樹脂を用いて形成しても、経時的な変形が生ずることがなく、引き出し箱の出し入れを円滑に行うことができる。
また、外レールを合成樹脂で形成する場合に、外レールを小型化しても機械的強度を充分に確保することができるため、使用樹脂量を減少させて、製造コストの低減を図ることができる。
【００５２】
（２）  請求項２記載の発明によれば、止めねじ頭部を外レールの内側面から突出させることなく、外レールをキャビネット本体に固定することができる。
【００５３】
（３）  請求項３記載の発明によれば、内レールを、側板から突出させることなく、かつ簡単に形成することができる。
【００５４】
（４）  請求項４記載の発明によれば、ローラの脱輪を防止して、引き出し箱の円滑な出し入れを行うことができる。
【００５５】
（５）  請求項５記載の発明によれば、引き出し箱の左右方向の振れを良好に防止することができる。
【００５６】
（６）  請求項６記載の発明によれば、引き出し箱の左右方向の振れを良好に防止することができるとともに、引き出し箱、内レール、外レール、ローラなどにおける左右方向の寸法誤差や、経時的な変形を吸収して、引き出し箱の円滑な出し入れを行うことができる。
【００５７】
（７）  請求項７記載の発明によれば、良好な振れ防止手段を容易に形成することができる。
【００５８】
（８）  請求項８記載の発明によれば、引き出し箱の収納時における位置安定性が良好であるとともに、引き出し箱を過度に引き出して引き出し箱が落下することを防止することができる。
【００５９】
（９）  請求項９記載の発明によれば、支軸の段部が、引き出し箱における側板、または外レールに設けた凹孔の周縁に密接し、かつねじ止め固定してあるため、支軸のぶれが生ぜず、そのためローラを安定的に保持することができ、これによって引き出し箱を一層、円滑に出し入れすることができる。
【００６０】
（１０）  請求項１０記載の発明によれば、機械的強度が良好であるとともに、円滑に出し入れすることができる引き出し箱が得られる。
【図面の簡単な説明】
【図１】本発明における引き出し箱と外レールとを組付けした斜視図である。
【図２】図１に示した引き出し箱と外レールの分解斜視図である。
【図３】図１におけるＩＩＩ〜ＩＩＩ線矢視の一部破断した縦断面図である。
【図４】同じく、ＩＶ〜ＩＶ線矢視の一部破断した縦断面図である。
【図５】同じく、Ｖ〜Ｖ線矢視の一部破断した縦断面図である。
【図６】本発明における引き出し箱の別実施形態を示し、図２に相当する分解斜視図である。
【図７】振れ防止手段の一実施形態を示し、図３における破線円内に相当する部分図である。
【図８】同じく振れ防止手段の他の実施形態を示す。
【図９】同じく振れ防止手段の他の実施形態を示す。
【図１０】同じく振れ防止手段の他の実施形態を示す。
【図１１】同じく振れ防止手段の他の実施形態を示す。
【符号の説明】
（１）引き出し箱
（２）外レール
（３）側板
（３ａ）係止溝
（３ｂ）前端面
（４）背板
（４ａ）係止溝
（４ｂ）端面
（５）底板
（５ａ）左右縁
（５ｂ）後縁
（５ｃ）前縁
（６）化粧用前板
（６ａ）内側面
（７）縁カバー
（７ａ）対向する面
（８）取付部材
（８ａ）（８ｂ）取付孔
（９）（１０）（１１）止めねじ
（１２）（１３）ローラ
（１２ａ）（１３ａ）鍔部
（１４）（１５）止めねじ
（１６）（１７）支軸
（１８）（１９）凹孔
（２０）溝部
（２１）ローラ案内面
（２２）内レール
（２３）上側外レール
（２３ａ）ローラ案内面
（２３ｂ）縁壁
（２４）下側外レール
（２４ａ）ローラ案内面
（２４ｂ）縁壁
（２５）ローラ
（２６）支軸
（２７）止めねじ
（２８）開口部
（２９）止めねじ
（３０）キャビネット本体
（３１）縁壁
（３２）（３３）ストッパー
（３２ａ）（３３ａ）前部
（３４）（３５）止めねじ
（３６）側板
（３６ａ）前端
（３７）化粧用前板
（３８）引き出し箱
（３９）底板
（３９ａ）前縁
（４０）前板
（４０ａ）係止溝
（４１）取付部材
（４２）側板取付片
（４２ａ）（４２ｂ）取付孔
（４３）化粧用前板取付片
（４３ａ）（４３ｂ）取付孔
（４４）（４５）止めねじ
（４６）外レール
（４７）ローラ案内面
（４８）ローラ
（４９）内レール
（５０）ローラ案内面
（５１）ローラ
（５２）案内溝
（５３）外レール
（５４）ローラ
（５５）凸条
（５６）ローラ案内面
（５７）案内溝
（５８）外レール
（５９）ローラ
（６０）凹溝
（６１）ローラ案内面
（６２）案内凸条
（６３）外レール
（６４）ローラ
（６５）ローラ案内面
（６６）案内溝
【図１】
2004305353.tif 000003
【図２】
2004305353.tif 000004
【図３】
2004305353.tif 000005
【図４】
2004305353.tif 000006
【図５】
2004305353.tif 000007
【図６】
2004305353.tif 000008
【図７】
2004305353.tif 000009
【図８】
2004305353.tif 000010
【図９】
2004305353.tif 000011
【図１０】
2004305353.tif 000012
【図１１】
2004305353.tif 000013